(57)【要約】【課題】メダル受け皿において、メダルの飛出しやメダル払出し口の閉塞を減少させ、貯まったメダルを手で均したり、取り出す作業を容易に行える遊技機を提供する。【解決手段】メダル払出し口７よりも上方に配置したメダル送出口１３からメダルを送出するメダル払出し装置１１と、この装置から送出されたメダルをメダル払出し口７に案内するメダル案内路１４と、この案内路を経てメダル払出し口７から払い出されたメダルを受けて貯える、遊技機前面の左右方向に長手方向が向けられ上面が開口したメダル受け皿８とを備える遊技機において、メダル払出し口７を、メダル受け皿８の左右いずれか一方端側に配置した。メダル払出し口７からのメダルは、同払出し口配置側とは反対側に向けて付勢させる下り勾配面１５により、遊技者が何ら手を加えない状態でも、受け皿８の長手方向の一方端から他方端に向けて移動するような作用を受けて受け皿８内に貯えられる構造とした。【選択図】図１
2007167285.tif 000002
【特許請求の範囲】
【請求項１】
メダル払出し口と、
このメダル払出し口よりも上方に配置されたメダル送出口からメダルを送出するメダル払出し装置と、
このメダル払出し装置から送出されたメダルを前記メダル払出し口に案内するメダル案内路と、
このメダル案内路を経て前記メダル払出し口から払い出されたメダルを受けて貯える、遊技機前面の左右方向に長手方向が向けられ上面が開口したメダル受け皿とを備える遊技機において、
前記メダル払出し口は、前記メダル受け皿の左右いずれか一方端側に配置され、
そのメダル払出し口から払い出された、又は払い出されるメダルを、そのメダル払出し口の配置側とは反対側に向けて付勢させる下り勾配面を有することを特徴とする遊技機。
【請求項２】
前記メダル払出し口は、前記メダル受け皿の左右いずれか一方側の端部の上面に対向して配置され、
このメダル払出し口に対向する前記メダル受け皿の底面が前記下り勾配面を形成することを特徴とする請求項１に記載の遊技機。
【請求項３】
前記メダル払出し口は、前記メダル受け皿の左右いずれか一方側の端面に開口してそのメダル受け皿内に連通し、
前記下り勾配面は、前記メダル案内路内に有することを特徴とする請求項１に記載の遊技機。
【請求項４】
前記メダル払出し口は、前記メダル受け皿の長手方向のメダル払出し口配置側とは反対側の端部正面側よりもやや遊技機前面側に傾いた方向に向けられることを特徴とする請求項３に記載の遊技機。
【発明の詳細な説明】
【技術分野】
【０００１】
本発明は、当りになるとメダル又はコイン（メダル又はコインを便宜上、メダルと記す。）が払い出される回胴式遊技機等の遊技機に関するものである。
【背景技術】
【０００２】
メダルを用いて遊技を行い、当りになると受け皿にメダルが払い出されるスロットマシンあるいはパチスロ機と称される回胴式遊技機（メダル遊技機）は、大衆娯楽機として益々需要が高まってきている。
これは、遊技者がメダル投入口にメダルを投入し、始動レバーあるいは始動釦を操作して、各々種々の図柄が描かれた３つのリールを回転させ、その後、停止釦を操作して各リールを順次停止させる遊技機である。この遊技機は、全てのリールが停止したとき、有効ラインあるいは入賞ラインと称されるライン上に予め定められた図柄が並んでいると当りとなり、メダル払出し口よりメダル受け皿に所定枚数のメダルが払い出される。
【０００３】
このような回胴式遊技機においては、メダル受け皿に払い出されたメダルがメダル受け皿の外に飛び出すことが少なくなく、そこで、このようなメダルの飛出しを防止する遊技機が開発された（例えば、特許文献１参照）。
これは、メダル払出し口の位置をメダル受け皿の上縁より高くすると共に、メダル払出し口の周辺に飛散防止部材を取り付ける、というものである。
【特許文献１】特開２００２−３０６６７４号公報
【発明の開示】
【発明が解決しようとする課題】
【０００４】
しかしながら上記従来技術では、メダルがメダル受け皿から飛び出さないという利点はあるが、メダルが短時間で大量に払い出される状態、例えば大当り状態になると、払い出されたメダルがメダル払出し口の周辺に集中して山積みに溜まり、メダル払出し口を塞いでしまうことが少なくなかった。
このため遊技者は、山積みに溜ったメダルを手で均そうとするが、その際、飛散防止部材が均し作業の邪魔となった。メダル受け皿に満タンとなったメダルを取り出してメダル箱（ドル箱）に移す際も、飛散防止部材がその作業の邪魔となった。飛散防止部材は係止部材により開いたままにし得るが、この操作も煩わしく、従来、このような点についての改善が要望されていた。
【０００５】
本発明は、上記のような要望に鑑みなされたもので、メダルの飛出しを減少させ得ると共に、メダルが短時間で大量に払い出される状態になっても、払い出されたメダルがメダル払出し口を塞ぐことを減少させ得、更に、メダル受け皿に貯まってくるメダルを手で均したり、取り出してメダル箱に移す作業を容易に行い得る遊技機を提供することを目的とする。
【課題を解決するための手段】
【０００６】
上記目的を達成するために、特許請求の範囲の請求項１に記載の発明は、メダル払出し口と、このメダル払出し口よりも上方に配置されたメダル送出口からメダルを送出するメダル払出し装置と、このメダル払出し装置から送出されたメダルを前記メダル払出し口に案内するメダル案内路と、このメダル案内路を経て前記メダル払出し口から払い出されたメダルを受けて貯える、遊技機前面の左右方向に長手方向が向けられ上面が開口したメダル受け皿とを備える遊技機において、前記メダル払出し口は、前記メダル受け皿の左右いずれか一方端側に配置され、そのメダル払出し口から払い出された、又は払い出されるメダルを、そのメダル払出し口の配置側とは反対側に向けて付勢させる下り勾配面を有することを特徴とする。
【０００７】
特許請求の範囲の請求項２に記載の発明は、請求項１に記載の発明において、前記メダル払出し口は、前記メダル受け皿の左右いずれか一方側の端部の上面に対向して配置され、このメダル払出し口に対向する前記メダル受け皿の底面が前記下り勾配面を形成することを特徴とする。
【０００８】
特許請求の範囲の請求項３に記載の発明は、請求項１に記載の発明において、前記メダル払出し口は、前記メダル受け皿の左右いずれか一方側の端面に開口してそのメダル受け皿内に連通し、前記下り勾配面は、前記メダル案内路内に有することを特徴とする。
【０００９】
特許請求の範囲の請求項４に記載の発明は、請求項３に記載の発明において、前記メダル払出し口は、前記メダル受け皿の長手方向のメダル払出し口配置側とは反対側の端部正面側よりもやや遊技機前面側に傾いた方向に向けられることを特徴とする。
【発明の効果】
【００１０】
特許請求の範囲の請求項１に記載の発明は、メダル払出し口と、このメダル払出し口よりも上方に配置されたメダル送出口からメダルを送出するメダル払出し装置と、このメダル払出し装置から送出されたメダルをメダル払出し口に案内するメダル案内路と、このメダル案内路を経てメダル払出し口から払い出されたメダルを受けて貯える、遊技機前面の左右方向に長手方向が向けられ上面が開口したメダル受け皿とを備える遊技機において、メダル払出し口を、メダル受け皿の左右いずれか一方端側に配置した。また、メダル払出し口から払い出された、又は払い出されるメダルを、そのメダル払出し口の配置側とは反対側に向けて付勢させる下り勾配面を有する構成とした。
これによれば、メダルは、左右方向に横長に形成されたメダル受け皿の左右いずれか一方端側から払い出され、下り勾配面によってメダル受け皿のメダル払出し口の配置側とは反対側に向けて付勢されながら、メダル受け皿内に貯えられる。
つまり、遊技者が何ら手を加えない状態であっても、払い出されたメダルはメダル受け皿の一方端側から他方端側に向けて移動するような作用を受けて同受け皿内に貯えられる。
したがって、メダル受け皿の長手方向にほぼ直交する方向にメダルが払い出される構成に比べてメダル受け皿からのメダルの飛出しを減少させ得る。また、大当り状態等のように、メダルが短時間で大量に払い出される状態になっても、払い出されたメダルがメダル払出し口の周辺に集中して山積みに溜まり、メダル払出し口を塞いでしまうことを減少させ得る。更に、従来技術における飛散防止部材のようなメダル受け皿上面を覆う部材がないので、メダル受け皿内に貯えられたメダルを均したり、取り出してメダル箱に移したりする作業を簡単かつ円滑に行うことができる。
【００１１】
特許請求の範囲の請求項２に記載の発明によれば、請求項１に記載の発明において、メダル払出し口を、メダル受け皿の左右いずれか一方側の端部の上面に対向して配置し、このメダル払出し口に対向するメダル受け皿の底面を下り勾配面として形成するので、請求項１に記載の発明を、簡単な構成で実現できる。特に、メダル払出し口をメダル受け皿の一方側の端部の上面に対向して配置、つまり、メダル払出し口とメダル受け皿を別個に形成したので、これら相互間における位置合わせ、組立て作業を簡単に行うことができる。
【００１２】
特許請求の範囲の請求項３に記載の発明によれば、請求項１に記載の発明において、メダル払出し口を、メダル受け皿の左右いずれか一方側の端面に開口してそのメダル受け皿内に連通させ、下り勾配面を、メダル案内路内に形成したので、メダル案内路のメダル払出し口部分を遊技機前面に突出させることなく構成できる。また、メダルがメダル払出し口から下り勾配面に落下する請求項２の構成とは異なり、メダルはメダル案内路（下り勾配面）を滑動してメダル払出し口からメダル受け皿内に払い出されるので、メダル払出し時における騒音の発生を抑制できる。
【００１３】
特許請求の範囲の請求項４に記載の発明によれば、請求項３に記載の発明において、メダル払出し口を、メダル受け皿の長手方向のメダル払出し口配置側とは反対側の端部正面側よりもやや遊技機前面側に傾いた方向に向けた。
これによれば、メダル案内路（下り勾配面）を短くした場合でも、メダル払出し口を、メダル受け皿の長手方向のメダル払出し口配置側とは反対側の端部正面に向けた場合に比べて円滑に、メダルをメダル払出し口から払い出すことができる。
【発明を実施するための最良の形態】
【００１４】
以下、本発明の実施の形態を図面に基づき説明する。なお、各図間において、同一符号は同一又は相当部分を示す。
図１は本発明が適用されたスロットマシンの第１実施形態を示す斜視図、図２は同スロットマシンの右側面図、図３は同スロットマシンの要部全体を示す斜視図である。
図１において、１はスロットマシンの筐体であり、この筐体１の内部には、各々外周面に複数種の図柄が描かれた複数の、ここでは左、中、右の３個のリール２ａ，２ｂ，２ｃが設けられている。このリール２ａ，２ｂ，２ｃは、各々回転自在であり、回転軸方向に並設されている。
【００１５】
また筐体１の前面には、遊技機正面側に着席した遊技者のほぼ真正面となる位置に図柄表示窓３が設けられ、その右斜め下方の位置にはメダル投入口４が、同じく左斜め下の位置に始動レバー５が各々設けられている。
筐体１の前面の図柄表示窓３の直下には停止釦スイッチ６ａ，６ｂ，６ｃが設けられ、それらの下方には詳細を後述するメダル払出し口７及びメダル受け皿８が設けられている。筐体１の前面には、その他、精算釦スイッチ９等が設けられている。
上記３個のリール２ａ〜２ｃは、図柄表示窓３の内側に位置し、その外周面に各々描かれた図柄が同リール２ａ〜２ｃの回転によって繰返し変動表示される様子が上記図柄表示窓３から透視可能である。
【００１６】
またリール２ａ，２ｂ，２ｃは、その停止時に、各々３駒分の図柄が図柄表示窓３に対向し、それらの図柄が上、中、下及び斜めの各有効ライン（入賞ライン）Ｌ１〜Ｌ５上に整列するようになされている。
始動レバー５は、遊技開始時、上記３個のリール２ａ〜２ｃを一斉に回転させるための操作レバーである。左、中、右の停止釦スイッチ６ａ，６ｂ，６ｃは、左、中、右のリール２ａ，２ｂ，２ｃに各々対応し、同左、中、右のリール２ａ，２ｂ，２ｃを各別に停止させるスイッチである。
メダル投入口４は、遊技開始時にメダル（図示せず）を投入する部分であり、またメダル受け皿８は、メダル払出し口７から払い出されたメダルを受け止め、貯える皿である。メダル受け皿８の左側には灰皿１０が設けられている。
【００１７】
図２，図３に示すように、筐体１内部の下方側には、メダル払出し装置１１が設けられている。このメダル払出し装置１１は、ホッパ１２底部に配設されたメダル送出機構（図示せず）がホッパ１２内のメダル（図示せず）をメダル送出口１３から装置１１外に１枚又は複数枚ずつ送出する装置である。メダルは、後述するような当りになったときに、その当りの種類の応じた数がメダル払出し装置１１のメダル送出口１３から装置１１外に送出される。メダル払出し装置１１のメダル送出口１３は、メダル払出し口７よりも上方に配置されているが、これは、メダル送出口１３から送出されるメダル２１（図２参照）が自重でメダル払出し口７側に向かって移動可能にするためである。
また図示例において、メダル送出口１３がメダル払出し装置１１前面左側の上部に配置されているのは、後述するようにメダル払出し口７をメダル受け皿８の左側に配置するからである。
メダル払出し口７をメダル受け皿８の左側に配置することから、メダル払出し装置１１は全体的に筐体１内の左側に寄せて配置される。そこで図示例では、本スロットマシンの電源装置が収納された電源ボックス３１を、一般的なメダル払出し装置１１側方位置から、メダル払出し装置１１の下部に移設（メダル払出し装置１１を電源ボックス３１上に載置固定）し、メダル払出し装置１１を左側に寄せるための空間を確保した。
【００１８】
上記メダル案内路１４は、メダル払出し装置１１から同装置１１外に送出されたメダルを上記メダル払出し口７に案内するダクト状のガイドである。
上記メダル受け皿８は、メダル案内路１４を経てメダル払出し口７から払い出されたメダルを上述したように受けて貯える皿であり、遊技機前面の左右方向に長手方向が向けられ、上面が開口した横長四角箱状に形成されている。
【００１９】
ここで、本実施形態では、メダル払出し口７は、メダル受け皿８の左右いずれか一方端側、図示例では左側端部の上面に対向して配置されている。また、メダル払出し口７から払い出されたメダルを、メダル払出し口７の配置側とは反対側、つまり右側に向けて付勢させる下り勾配面１５が、メダル払出し口７に対向するメダル受け皿８の底面に形成されている（底面が下り勾配面１５を形成している）。
【００２０】
このように構成されたスロットマシンの動作を以下に述べる。
まず、遊技者がメダル投入口４にメダルを投入した後、始動レバー５を操作すると、各々種々の図柄が描かれた３つのリール２ａ，２ｂ，２ｃが一斉に回転し始める。
各リール２ａ，２ｂ，２ｃの回転速度が一定速度に達した後、又は各リール２ａ，２ｂ，２ｃが回転し始めてから一定時間経過した後に、各リール２ａ，２ｂ，２ｃに対応した停止釦スイッチ６ａ，６ｂ，６ｃを押すと、各リール２ａ，２ｂ，２ｃの回転が停止される。
【００２１】
停止釦スイッチ６ａ，６ｂ，６ｃは遊技者により任意の順序、タイミングで押され、押された順序、タイミングで対応するリール２ａ，２ｂ，２ｃが各別に停止する。
全てのリール２ａ，２ｂ，２ｃが停止した状態で、有効ラインＬ１〜Ｌ５上に予め定められた図柄が並んでいると当りとなり、メダル払出し口７よりメダル受け皿８に所定枚数のメダルが払い出される。当りとなった場合の有効ラインＬ１〜Ｌ５上に並んだ図柄の組み合わせに応じて大当り、小当り等、種類の異なる当りとなってメダルの払出し数が変わる。
【００２２】
当りになると、メダル払出し装置１１のメダル送出口１３から同装置１１外にメダル２１（図２参照）が送出される。送出されたメダル２１は、メダル案内路１４で案内されてメダル払出し口７に至り、このメダル払出し口７からメダル受け皿８内に払い出される（図２中の矢印ア参照）。
ここで、メダル払出し口７は、図示するように、メダル受け皿８の左側の端部の上面に対向して配置されている。また、メダル払出し口７に対向するメダル受け皿８の底面は、下り勾配面１５を有して形成されている。
したがって上記メダル２１は、左右方向に横長に形成されたメダル受け皿８の左側の端部上方から落下され（払い出され）、下り勾配面１５を通過することによりメダル受け皿８の右側端部に向けて付勢され、メダル受け皿８内に貯えられる。
つまり、遊技者が何ら手を加えない状態であっても、払い出されたメダル２１はメダル受け皿８の長手方向左側から右側に向けて移動するような作用を受けて同受け皿内に貯えられる。
【００２３】
以上述べたように本実施形態では、メダル払出し口７を、メダル受け皿８の長手方向一方側（図示例では左側）の端部の上面に対向して配置すると共に、メダル払出し口７に対向するメダル受け皿８の底面を、下り勾配面１５を有して形成し、払い出されたメダルが、メダル受け皿８の長手方向一方側から他方側（図示例では左側から右側）に向けて移動するような作用を受けて同受け皿内に貯えられるようにした。
したがって、メダル受け皿８の長手方向にほぼ直交する方向にメダルが払い出される構成に比べてメダル受け皿８からのメダルの飛出しを減少させ得る。
また、メダルが短時間で大量に払い出される状態、例えば大当り状態になっても、払い出されたメダルがメダル払出し口７の周辺に集中して山積みに溜まり、メダル払出し口７を塞いでしまうことを減少させ得る。
更に、従来技術における飛散防止部材のようなメダル受け皿８上面を覆う部材がないので、メダル受け皿８内に貯えられたメダルを長手方向に均したり、取り出してメダル箱に移したりする作業を簡単かつ円滑に行うことができる。
【００２４】
また本実施形態では、メダル払出し口７を、メダル受け皿８の長手方向一方側（図示例では左側）の端部の上面に対向して配置し、このメダル払出し口７に対向するメダル受け皿８の底面を下り勾配面１５として形成したので、上述したような効果を簡単な構成で得ることができる。
【００２５】
図４は、本発明が適用されたスロットマシンの第２実施形態の要部全体を示す斜視図である。
図示するように、この第２実施形態においては、メダル送出口１３は、メダル払出し装置１１左側面の上部に配置され、ここからダクト状のメダル案内路１４がメダル受け皿８の左側端面に開口するメダル払出し口７に回り込むように、かつ内部に下り勾配面１５を有して形成されている。
すなわち、第２実施形態では、上述した第１実施形態のようにメダル払出し口７をメダル受け皿８の上面に対向配置するものではなく、メダル受け皿８の側方端面に開口させるものであるから、メダル案内路１４のメダル払出し口７部分を遊技機前面に突出させることなく構成できる。
またメダルは、メダル払出し口７から下り勾配面１５に落下するものではなく、メダル案内路１４（下り勾配面１５）を滑動してメダル払出し口７からメダル受け皿８内に払い出されるので、メダル払出し時における騒音の発生を抑制できる。
【００２６】
なお、このような第２実施形態においても、メダル払出し装置１１のメダル送出口１３から同装置１１外に送出されたメダルは、メダル案内路１４で案内されてメダル払出し口７に至り、このメダル払出し口７からメダル受け皿８内に払い出される。ここで、メダル案内路１４内には下り勾配面１５が形成されており、メダルは、この下り勾配面１５を通過することによりメダル受け皿８の右側端部に向けて付勢される。つまり、遊技者が何ら手を加えない状態であっても、払い出されるメダルはメダル受け皿８の長手方向左側から右側に向けて移動するような作用を受けて同受け皿内に貯えられる。
したがって、このような第２実施形態においても、上述した第１実施形態と同様に、メダルの飛出しを減少させ得ると共に、メダルが短時間で大量に払い出される状態になっても、払い出されたメダルがメダル払出し口７を塞ぐことを減少させ得る。更に、メダル受け皿８に貯まってくるメダルを手で均したり、取り出してメダル箱に移す作業を容易に行い得る。
この第２実施形態では、メダル案内路１４がメダル払出し装置１１の左側方に大きく突出するので、電源ボックス３１をメダル払出し装置１１の下部に配置したことの効果は第１実施形態の場合よりも大である
【００２７】
図５は、本発明が適用されたスロットマシンの第３実施形態を示す斜視図である。
この第３実施形態においては、メダル払出し口７は、メダル受け皿８の長手方向のメダル払出し口７配置側とは反対側の端部正面側よりもやや遊技機前面側に傾いた方向に向けられてる。
【００２８】
この第３実施形態も、第２実施形態と同様に、上述した第１実施形態のようにメダル払出し口７をメダル受け皿８の上面に対向配置するものではなく、メダル受け皿８の側方端面に開口させるものであるから、メダル案内路１４のメダル払出し口７部分を遊技機前面に突出させることなく構成できる。
またメダルは、メダル払出し口７から下り勾配面１５に落下するものではなく、メダル案内路１４（下り勾配面１５）を滑動してメダル払出し口７からメダル受け皿８内に払い出されるので、メダル払出し時における騒音の発生を抑制できる。
【００２９】
しかし第３実施形態では、図示するように、メダル送出口１３は、メダル払出し装置１１の前面上部、図示例では前面左側の上部に配置され、ここからダクト状のメダル案内路１４がメダル受け皿８の左側端面に開口するメダル払出し口７に向かって、内部に下り勾配面１５を有して形成されている。
つまり第３実施形態では、第２実施形態とは異なり、メダル送出口１３からメダル払出し口７までの距離が短く、図４に示すようにメダル案内路１４をメダル払出し口７に回り込むように形成することが難しい。このため、メダル払出し口７を、図４に示すようにメダル受け皿８のメダル払出し口７配置側とは反対側の端部正面側（端部の面と平行になる方向）に向けると、メダル案内路１４（下り勾配面１５）を滑動してきたメダルがメダル払出し口７部分で引っ掛かり易くなる。
【００３０】
図５に例示する第３実施形態によれば、メダル払出し口７を、メダル受け皿８の長手方向のメダル払出し口７配置側とは反対側の端部正面側よりもやや遊技機前面側に傾いた方向に向けたので、メダルはメダル払出し口７部分で引っ掛かりにくくなり、メダル払出し口７から出やすくなった。
【００３１】
なお上述した実施形態では、いずれもメダル送出口１３、メダル払出し口７及び下り勾配面１５等を遊技機正面から見て左側に設けた場合について述べたが、これらを遊技機正面から見て右側に設けもよいことはいうまでもない。
また上述した実施形態では、いずれも本発明をスロットマシンあるいはパチスロ機と称される回胴式遊技機に適用した場合について述べたが、本発明の適用範囲はこれのみに限らない。例えば、遊技球を用いて遊技を行う弾球遊技機等であっても、精算（払出し）をメダルで行う遊技機であれば、本発明を適用することができ、上述実施形態と同様の効果を発揮できる。
【図面の簡単な説明】
【００３２】
【図１】本発明が適用されたスロットマシンの第１実施形態を示す斜視図である。
【図２】同上スロットマシンの右側面図である。
【図３】同上スロットマシンの要部全体を示す斜視図である。
【図４】同上スロットマシンの第２実施形態の要部全体を示す斜視図である。
【図５】同上スロットマシンの第３実施形態を示す斜視図である。
【符号の説明】
【００３３】
７：メダル払出し口、８：メダル受け皿、１１：メダル払出し装置、１３：メダル送出口、１４：メダル案内路、１５：下り勾配面、２１：メダル送出口から送出されたメダル。
【図１】
2007167285.tif 000003
【図２】
2007167285.tif 000004
【図３】
2007167285.tif 000005
【図４】
2007167285.tif 000006
【図５】
2007167285.tif 000007